(57)【特許請求の範囲】
【請求項１】
弾性変形可能な線状部材により略直線以外の所定形状に形成され、かつらベースの周縁部に沿って互いに隣接した状態で取り付けられた微小かつ多数の捕捉部を有し、
各捕捉部の間には、装着者の自毛を収容可能な捕捉空間が形成され、各捕捉部が互いに協働して、前記捕捉空間内に収容された自毛を保持する、ことを特徴とするかつら。
【請求項２】
各捕捉部の少なくとも先端側が、互いに隣接した状態で前記かつらベースの周縁部よりも外側に突出する、請求項１に記載のかつら。
【請求項３】
各捕捉部の後端側を、弾性変形可能なベース接合部に連成し、前記ベース接合部を介して、各捕捉部を前記かつらベースの周縁部に取り付けた、請求項１又は２に記載のかつら。
【請求項４】
前記捕捉部が、前記線状部材の一端を自由とするとともに他端を固定した軸部を有し、各捕捉部の前記軸部間に前記捕捉空間が形成される、請求項１〜３のいずれか１項に記載のかつら。
【請求項５】
前記捕捉部が、前記線状部材を所定形状の輪郭に変形させた中空の凸部を有し、各捕捉部の前記凸部間に前記捕捉空間が形成される、請求項１〜３のいずれか１項に記載のかつら。
【請求項６】
前記軸部又は凸部に、前記捕捉空間内に収容された自毛に係合する少なくとも一つの突部を形成した、請求項１〜５のいずれか１項に記載のかつら。
【請求項７】
前記突部が、前記かつらベースの周縁部に向かって内向きに延びる、請求項６に記載のかつら。
【請求項８】
弾性変形可能な線状部材により形成され、各捕捉部よりも上に位置し、前記捕捉空間内に収容された自毛の上に重複する抑え部を有する、請求項１〜７のいずれか１項に記載のかつら。
【請求項９】
前記抑え部が、各捕捉部に沿って延び、各捕捉部の先端よりも外側に突出する波形をした、請求項８に記載のかつら。
【請求項１０】
前記捕捉部、前記ベース接合部、前記抑え部の少なくとも一つに、人工毛又は人毛からなる毛髪を植毛した、請求項１〜９のいずれか１項に記載のかつら。
【請求項１１】
弾性変形可能な線状部材によって略直線以外の所定形状に形成され、かつらベースの周縁部に沿って互いに隣接した状態で取り付けられ、自毛の上に重複し、自毛の根本部分よりも先端側の直立傾向を抑えることが可能な形状を有する微小かつ多数の抑え部を備えた、ことを特徴とするかつら。
【請求項１２】
前記抑え部の形状が、波形である請求項１１に記載のかつら。
【請求項１３】
前記抑え部に、人工毛又は人毛からなる毛髪を植毛した、請求項１１又は１２に記載のかつら。
【発明の詳細な説明】
【技術分野】
【０００１】
本発明は、装着者の自毛とかつら用毛髪とを混ぜ合わせて使用する自毛活用型のかつらに関し、特に、かつらベースの境界部分において自毛とかつら用毛髪とを混ぜ合わせ、自然な外観を長時間維持することができるかつらに関する。
【背景技術】
【０００２】
従来の自毛活用型のかつらとして、例えば、特開２００８−２１４８３３号公報（特許文献１）に記載されているものがある。特許文献１の自毛活用型のかつらは、頭部形状に形成したかつらベースの側頭部に切欠部を設け、切欠部の下縁開口に伸縮性バンドを張設し、該伸縮性バンドで閉塞した切欠部内を、自毛の引出し孔にした構成となっている。このような特許文献１のかつらは、引出し孔から引き出した側頭部の自毛を、かつらベースに植設した毛髪と混ぜ合わせて使用する。
【０００３】
また、特開２００８−０５７０７８号公報（特許文献２）には、内部に開口を有する環状部材と、前記開口を縦断するように延出し互いに離隔して前記環状部材に並設した複数の線状部材とによって、かつらベースを構成した自毛活用型のかつらが記載されている。このような特許文献２のかつらは、環状部材の開口から引き出した自毛を、線状部材及び環状部材に植設した毛髪と混ぜ合わせて使用する。
【０００４】
さらに、特開２００７−９２２０２号公報（特許文献３）及び特開２００２−１１５１１５号公報（特許文献４）には、線材からなる骨格にかつら用毛髪を植設した構成の増毛具が記載されている。これら特許文献３及び４の増毛具は、頭部の薄毛部分に載置し、線材からなる骨格の間から自毛を引き出して、骨格に植設したかつら用毛髪と混ぜ合わせて使用する。
【先行技術文献】
【特許文献】
【０００５】
【特許文献１】特開２００８−２１４８３３号公報
【特許文献２】特開２００８−０５７０７８号公報
【特許文献３】特開２００７−９２２０２号公報
【特許文献４】特開２００２−１１５１１５号公報
【発明の概要】
【発明が解決しようとする課題】
【０００６】
上述した特許文献１及び２のようなかつらベースを備えた自毛活用型のかつらでは、かつらベースに多くの毛髪を植設することができ、かつらの装着時に、自毛とかつら用毛髪とをブラッシングによって混ぜ合わせると、あたかも自分の髪であるかのような外観にヘアセットすることができる。
【０００７】
しかし、装着者の日常動作や強風などでかつらにずれが生じるため、装着時には綺麗にセットしたヘアスタイルも、時間の経過とともに崩れてしまう。このため、装着時に混ざり合っていた自毛とかつら用毛髪とが分離し、自毛とかつらベースとの境界部分が露見してしまうという問題があった。
【０００８】
このような問題に対処するため、特許文献２のかつらでは、かつらベースを構成する環状部材の外周縁に、かつら露見防止用ネットを配設し、自毛とかつらベースとの境界部分を目立たなくしている。しかし、かつら露見防止用ネットは、単にかつらベースの周縁部を覆い隠して目立たなくするだけのものであり、自毛やかつら用毛髪と外観上区別される、かつら露見防止用ネット自体が露見してしまうことは変わらない。また、かつら露見防止用ネットは、装着者の日常動作や強風などによるかつらのずれを何ら防止するものではない。
【０００９】
一方、特許文献３及び４のかつらは、かつらベースを備えておらず、線材からなる骨格が目立つこともない。しかし、細い骨格に多量の毛髪を植毛することができず、自毛の少ない部分に使用することができないという問題がある。また、線材からなる骨格の先端が頭部に固定されないため、骨格の先端が浮きやすく、増毛具がずれやすいという問題もある。
【００１０】
本発明は、上記問題点に鑑みてなされたものであり、かつらベースの境界部分において自毛とかつら用毛髪とを良好に混ぜ合わせることができ、かつらベースの境界部分の露見を効果的に防止することが可能であるとともに、かつらのずれを軽減して自然な外観を長時間維持することが可能なかつらの提供を目的とする。
【課題を解決するための手段】
【００１１】
上記目的を達成するために、本発明のかつらは、弾性変形可能な線状部材により形成され、かつらベースの周縁部に取り付けられた複数の捕捉部を有し、各捕捉部の少なくとも先端側は、互いに隣接した状態で前記かつらベースの周縁部よりも外側に突出し、各捕捉部の間には、装着者の自毛を収容可能な捕捉空間が形成され、各捕捉部が互いに協働して、前記捕捉空間内に収容された自毛を保持する構成としてある。
【００１２】
上記構成からなる本発明では、装着者の頭部にかつらベースを載置し、装着者の自毛をブラッシングして、かつらベースに植設した毛髪と混ぜ合わせる。このとき、かつらベースの周縁部近傍に位置する自毛の根本部分が、各捕捉部の間の捕捉空間内に収容される。自毛の根本部分は、互いに隣接する捕捉部の協働により捕捉空間内に保持される。すなわち、かつらベースの周縁部近傍に位置する自毛が各捕捉部により捕捉されるのである。
【００１３】
このような構成からなる本発明のかつらによれば、かつらベースの周縁部において、装着者の自毛が各捕捉部により捕捉されるので、自毛とかつら用毛髪とを良好に混ぜ合わせることができ、かつらベースの境界部分の露見を効果的に防止することが可能である。
【００１４】
また、各捕捉部が自毛を捕捉してかつらのずれを軽減するので、自毛とかつら用毛髪との混合状態やヘアスタイルを長時間にわたって維持することができる。
【００１５】
好ましくは、各捕捉部の後端側を、弾性変形可能なベース接合部に連成し、前記ベース接合部を介して、各捕捉部を前記かつらベースの周縁部に取り付けた構成にするとよい。
【００１６】
上記構成によれば、線状部材からなる微小かつ多数の捕捉部を、ベース接合部によって一体化することができる。これにより、ベース接合部をかつらベースの周縁部に取り付けるだけで、微小かつ多数の捕捉部を適切な位置と突出量で容易に配設することが可能となる。
【００１７】
好ましくは、前記捕捉部が、前記線状部材の一端を自由とするとともに他端を固定した軸部を有し、各捕捉部の前記軸部間に前記捕捉空間が形成される構成にするとよい。
【００１８】
上記構成によれば、弾性変形可能な線状部材からなる軸部によって、拡縮自在な捕捉空間を画定することができ、かつらベースの周縁部近傍に位置する自毛の根本部分を、ブラッシングなどでスムーズに捕捉空間内に収容することが可能となる。また、軸部を変形させて自毛の根本部分に係合するようにすれば、捕捉空間内に収容された自毛の根本部分を捕捉することができる。
【００１９】
好ましくは、前記捕捉部が、前記線状部材を所定形状の輪郭に変形させた中空の凸部を有し、各捕捉部の前記凸部間に前記捕捉空間が形成される構成にするとよい。
【００２０】
上記構成によれば、弾性変形可能な線状部材からなる中空の凸部によって、拡縮自在な捕捉空間を画定することができ、かつらベースの周縁部近傍に位置する自毛の根本部分を、ブラッシングなどでスムーズに捕捉空間内に収容することが可能となる。また、隣り合う凸部を、これらによって形成される捕捉空間の導入口の幅寸法が狭くなる形状にすれば、捕捉空間内に収容された自毛の根本部分を捕捉することができる。
【００２１】
好ましくは、前記軸部又は凸部に、前記捕捉空間内に収容された自毛に係合する少なくとも一つの突部を形成した構成にするとよい。より好ましくは、前記突部が、前記かつらベースの周縁部に向かって内向きに延びる構成にするとよい。
【００２２】
上記構成によれば、捕捉空間内に収容された自毛の根本部分を、突部の係合によって確実に捕捉することができる。これにより、かつらベースの境界部分において自毛とかつら用毛髪とをより良好に混ぜ合わせることができ、かつらベースの境界部分の露見をより効果的に防止することが可能となる。また、突部の係合による自毛の確実な捕捉が、かつらのずれを阻止し、自然な外観をより長時間にわたって維持することができる。特に、突部をかつらベースの周縁部に向かって内向きに延びる構成とした場合は、突部が自毛の根本部分をより確実に捕捉するので、以上の作用効果をより顕著に奏することになる。
【００２３】
好ましくは、弾性変形可能な線状部材により形成され、各捕捉部よりも上に位置し、前記捕捉空間内に収容された自毛の上に重複する抑え部を有する構成にするとよい。より好ましくは、前記抑え部が、各捕捉部に沿って延び、各捕捉部の先端よりも外側に突出する波形をした構成にするとよい。
【００２４】
上記構成によれば、抑え部によって捕捉部に捕捉された自毛を抑えることで、かつらベースの周縁部の近傍に位置する自毛をかつら用毛髪に自然に馴染ませることができる。すなわち、捕捉部に捕捉された自毛の根本部分は、捕捉空間内において直立傾向になる。抑え部は、自毛の根本部分よりも先端側の直立傾向を抑えてかつら用毛髪に自然に馴染ませ、自毛とかつら用毛髪との混合状態を良好にする。特に、抑え部を波形とした場合には、捕捉部に捕捉された自毛に抑え部が、均一でなくかつ周期性をもって重複し、自毛の直立傾向をより自然に抑えることができる。
【００２５】
好ましくは、前記捕捉部、前記ベース接合部及び前記抑え部の少なくとも一つに、人工毛又は人毛からなる毛髪を植毛した構成にするとよい。
【００２６】
上記構成によれば、捕捉部、ベース接合部及び抑え部の少なくとも一つに植毛した毛髪を、捕捉部に捕捉された自毛と混ぜ合わせることができ、かつらベースの境界部分の露見をより効果的に防止することが可能となる。また、このようなかつら用毛髪と自毛との混合が、かつらのずれを軽減し、自然な外観をより長時間にわたって維持することに寄与する。
【発明の効果】
【００２７】
本発明のかつらによれば、かつらベースの境界部分において自毛とかつら用毛髪とを良好に混ぜ合わせることができ、かつらベースの境界部分の露見を効果的に防止することが可能であるとともに、かつらのずれを軽減して自然な外観を長時間維持することが可能となる。
【図面の簡単な説明】
【００２８】
【図１】本発明の実施形態に係るかつらを示す平面図である。
【図２】上記かつらの一部を透視した斜視図である。
【図３】上記かつらを構成する捕捉部、ベース接合部及び抑え部を示す斜視図である。
【図４】上記捕捉部及び抑え部の寸法の一例を示す模式図である。
【図５】上記かつらの装着状態を示す斜視図である。
【図６】上記かつらの装着状態を示す側面図である。
【図７】かつら装着時における上記捕捉部及び抑え部の状態を示す斜視図である。
【図８】同図（ａ）〜（ｃ）は捕捉部の変更例を示す斜視図である。
【図９】同図（ａ）〜（ｃ）は捕捉部の変更例を示す斜視図である。
【図１０】同図（ａ）〜（ｃ）は捕捉部の変更例を示す斜視図である。
【図１１】同図（ａ）〜（ｃ）は捕捉部の変更例を示す斜視図である。
【発明を実施するための形態】
【００２９】
＜全体構成＞
以下、本発明の実施形態に係るかつらについて、図面を参照しつつ説明する。図１において、本実施形態のかつら１は、主として、ネット状部材からなるかつらベース１０に、人工毛又は人毛であるかつら用毛髪を結着し、表面側に引き出した構成となっている。説明の便宜上、かつら用毛髪の図示は省略する。かつら１の前部、側部及び後部は、図１に示すとおりである。
【００３０】
図２に示すように、かつらベース１０の周縁部１０ａには、後述するベース接合部３０を介して、多数の捕捉部２０、２０、２０…と抑え部４０とが取り付けてある。これら捕捉部２０と抑え部４０とは、かつらベース１０の周縁部１０ａに沿って下方に突出しており、図１の平面図には表れない。
【００３１】
なお、図２には、かつらベース１０の周縁部１０ａの全周に捕捉部２０及び抑え部４０を取り付けた構成を例示しているが、この構成に限定されるものではなく、図１に示すかつら１の前部、側部及び後部のいずれかに、捕捉部２０及び抑え部４０を設けた構成としてもよい。
【００３２】
＜かつらベース＞
かつらベース１０は、装着者の頭部に合わせた椀状のネット状部材で構成してある。ネット状部材の材料としては、成型性及び耐熱性等に優れたナイロン、ポリエステル、アクリルなどの合成樹脂が好ましい。但し、綿、麻、絹等の天然繊維からなるネット状部材を用いてもよい。
【００３３】
かつらベース１０を構成するネット状部材の色は、これに植設するかつら用毛髪の色と近似した黒色、茶色又は白色などにするとよい。これにより、かつらベース１０に結着したかつら用毛髪の結び目が目立たなくなる効果がある。
【００３４】
また、かつらベース１０を構成するネット状部材のうち、少なくとも生え際に対応する箇所の色を肌色にしてもよい。例えば、かつらベース１０における毛髪の生え際、分け目又はつむじに対応する部分の少なくとも１つに、頭皮を模した合成樹脂又は織布からなる人工皮膚を配設した構成とするとよい。このような構成によれば、毛髪の生え際、分け目又はつむじに対応する部分の地肌を人工皮膚で模倣することができ、これらの箇所を自然に見せることができる。
【００３５】
ここで、本実施形態における「人工皮膚」には、例えば、ポリウレタンやシリコーン等の合成樹脂からなる肌色のフィルム又はシート、若しくはナイロン、ポリエステル、アクリル等の合成繊維、綿、麻、絹等の天然繊維からなる目の細かい肌色の織布（メッシュ又はネットを含む）が含まれる。このような人工皮膚は、かつらベースにおける毛髪の生え際、分け目又はつむじに対応する部分に貼着してもよく、若しくはかつらベースにおける毛髪の生え際、分け目又はつむじに対応する部分を人工皮膚で構成してもよい。さらに、かつらベース全体が、合成樹脂製の人工皮膚からなる構成としてもよい。
【００３６】
＜自毛捕捉構造体＞
図３は、捕捉部２０、ベース接合部３０及び抑え部４０を一体化した自毛捕捉構造体２を示すものであり、図中の太い点線は、捕捉部２０及び抑え部４０と、ベース接合部３０との境界を示すものである。
【００３７】
同図に示す自毛捕捉構造体２は、その全体が弾性変形可能な線状部材からなっている。線状部材に好適な材料としては、例えば、ナイロン、ポリエステル、アクリル等の合成樹脂、柔軟な変形及び復元が可能な金属などを用いることができる。もちろん捕捉部２０、ベース接合部３０及び抑え部４０のうちの一又は全部を別個独立に設けてもよい。
【００３８】
＜＜捕捉部＞＞
本実施形態の捕捉部２０は、軸部２１の先端両側に、横方向の突部２２、２２を一体成形した略Ｔ字型となっている。軸部２１の先端は自由となっており、後端をベース接合部３０に連成してある。隣り合う軸部２１、２１は、装着者の自毛を収容するための捕捉空間２０ａを形成する。
【００３９】
また、隣り合う軸部２１、２１の向かい合う突部２２、２２は、捕捉空間２０ａに通ずる狭小な導入口を形成する。このような突部２２、２２は、捕捉空間２０ａ内に収容された自毛に係合し、自毛を捕捉空間２０ａ内に保持する。すなわち、隣り合う捕捉部２０、２０は、かつらベース１０の周縁部１０ａ近傍に位置する自毛を捕捉空間２０ａ内に捕捉するのである。捕捉部２０に捕捉された自毛を、かつらベース１０に植毛された図示しないかつら用毛髪と混ぜ合わせることで、かつらベースの境界部分の露見を効果的に防止することが可能となる。
【００４０】
＜＜ベース接合部＞＞
本実施形態のベース接合部３０は、縦横に交差する多数本の線状部材からなっている。縦方向の線状部材は、上述した捕捉部２０の軸部２１に連続している。ベース接合部３０は、かつらベース１０の周縁部１０ａに、捕捉部２０及び抑え部４０を取り付けるためのものであり、その構成や形状は特に限定されない。
【００４１】
但し、本実施形態のように、ベース接合部３０を線状部材からなる網目状とすることにより、装着者の頭部に装着したときに、ベース接合部３０を自毛やかつら用毛髪に紛れさせ、より目立たなくすることができる。
【００４２】
このようなベース接合部３０は、図２に示すかつらベース１０の周縁部１０ａの裏側に縫着、接着又は溶着などの手段により取り付けてある。なお、ベース１０の周縁部１０ａを袋状に折返し、この袋状に折り返した部分にベース接合部３０を収納して取り付けてもよい。
【００４３】
ベース接合部３０の取り付けに際しては、図３に示す太い点線の位置に、かつらベース１０の周縁部１０ａの端縁が沿うようにすることが好ましい。すなわち、ベース接合部３０全体が、かつらベース１０の周縁部１０ａの裏側に隠れて、捕捉部２０及び抑え部４０が、周縁部１０ａの端縁よりも外側に突出するようにする。
【００４４】
＜＜抑え部＞＞
抑え部４０は、装着者の自毛を捕捉するためのものではなく、捕捉部２０に捕捉された自毛の上に重複して、この自毛の根本部分よりも先端側の直立傾向を抑え、かつら用毛髪との馴染み具合をより自然にするためのものである。本実施形態の抑え部４０は、捕捉部２０及びベース接合部３０と同じ弾性変形可能な線状部材によって一体形成してあるが、別の材料からなる別体としてもよい。
【００４５】
本実施形態では、抑え部４０を、捕捉部２０、２０、２０…に沿って延び、各捕捉部２０の先端よりも外側に突出する波形としてある。このような抑え部４０は、各捕捉部２０よりも上に位置し、捕捉空間２０ａ内に収容された自毛の上に重複する。これにより、捕捉部２０に捕捉された自毛の根本部分よりも先端側の直立傾向を抑える。
【００４６】
抑え部４０の形状は、本実施形態のような波形に限定されるものではないが、波形とした場合は、捕捉部２０に捕捉された自毛に抑え部４０が、均一でなくかつ周期性をもって重複し、自毛の直立傾向をより自然に抑えることができる。
【００４７】
＜＜捕捉部及び抑え部の寸法例＞＞
捕捉部及び抑え部の寸法例を図４の模式図に示す。同図において、捕捉部２０の長さは約２〜３ｍｍ程度とし、隣り合う捕捉部２０、２０どうしの間隔は約１ｍｍ程度とする。この場合、捕捉空間２０ａの面積は約２〜３ｍｍ２となる。一方、抑え部４０の高さ（図３に示す付根から先端まで）は約６ｍｍ程度、最大幅（図３に示す付根から付根まで）は約８ｍｍ程度とする。
【００４８】
＜＜自毛捕捉構造体への植毛＞＞
上述した捕捉部２０、ベース接合部３０、抑え部４０の少なくとも一つに、人工毛又は人毛からなるかつら用毛髪を植毛してもよい。これらかつら用毛髪を、捕捉部２０に捕捉された自毛と混ぜ合わせることで、かつらベース１０の境界部分を目立たなくすることができ、境界部分の露見を効果的に防止することが可能となる。また、これらかつら用毛髪と自毛との混合が、かつらのずれを軽減し、自然な外観をより長時間にわたって維持することに寄与する。
【００４９】
例えば、図７に示すように、抑え部４０を構成する線状部材にかつら用毛髪を植毛してもよい。このような構成とした場合は、かつら用毛髪によって抑え部４０が重くなり、捕捉部２０に捕捉された自毛の直立傾向をより効果的に抑えることが可能となる。また、かつら用毛髪の重さにより、抑え部４０の浮き上がりも防止することができる。
【００５０】
＜捕捉部及び抑え部の作用効果＞
次に、かつらベース１０の前部に自毛捕捉構造体２を設けた場合を例示して、捕捉部２０及び抑え部４０の作用効果について説明する。
【００５１】
図５及び図６に示すように、まず、本実施形態のかつら１を装着者の頭部に被せる。そして、装着者の前頭部の自毛をブラッシングして、図７に示す各捕捉部２０の間の各捕捉空間２０ａに自毛を捕捉させる。すなわち、ブラッシングした自毛の根本部分が、各捕捉部２０の軸部２１を弾性変形させ、突部２２、２２によって画定される狭小の導入口を押し広げて捕捉空間２０ａ内に収容される。その後、弾性変形した軸部２１が復元し、突部２２、２２が、捕捉空間２０ａ内に収容された自毛の根本部分に係合する。これにより、各捕捉空間２０ａ内に自毛の根本部分が捕捉される。
【００５２】
捕捉部２０によって自毛の根本部分が捕捉されると、自毛が直立傾向を呈するが、抑え部４０が自毛に重複して、自毛の根本部分よりも先端側の直立傾向を抑える。その後、捕捉部２０によって捕捉した自毛と、かつらベース１０に植毛した図示しないかつら用毛髪とを混ぜ合わせる。捕捉部２０、ベース接合部３０、抑え部４０のいずれかにかつら用毛髪を植毛した場合は、これも捕捉した自毛と混ぜ合わせる。
【００５３】
これにより、かつらベース１０の周縁部１０ａにおいて、自毛とかつら用毛髪とを良好に混ぜ合わせることができ、かつらベース１０の境界部分の露見を効果的に防止することが可能となる。また、各捕捉部２０が自毛を捕捉してかつらのずれを軽減するので、自毛とかつら用毛髪との混合状態やヘアスタイルを長時間にわたって維持することができる。
【００５４】
＜捕捉部の変更例＞
本発明の捕捉部は、上述した実施形態の構成に限定されるものではない。以下、捕捉部の変更例について、図８〜１１を参照しつつ説明する。
【００５５】
＜＜軸部の間隔、突部の位置＞＞
捕捉部２０を構成する軸部２１の間隔は均等に限定されるものではない。また、突部２２、２２の位置も軸部２１の先端部に限定されるものではない。図８（ａ）に示すように、各軸部２１、２１、２１…の間隔を交互に広狭の幅とし、各捕捉空間２０ａ、２０ａ、２０ａ…の面積を大小２種類にしてもよい。また、突部２２は、軸部２１の中間部に設けてもよい。本実施形態では、隣り合う軸部２１、２１の先端部に長い突部２２Ａ、２２Ａをそれぞれ設け、軸部２１の中間部に短い突部２２Ｂ、２２Ｂをそれぞれ設けた構成としてある。各突部２２Ａと２２Ａ、２２Ｂと２２Ｂは、それぞれ対向して捕捉空間２０ａへ通ずる狭小の導入口を形成している。
【００５６】
＜＜突部の突出方向＞＞
捕捉部２０を構成する突部２２は水平に突出するものに限定されない。図８（ｂ）に示すように、各軸部２１の先端部に傾斜する突部２２Ｃ、２２Ｃを設けてもよい。各突部２２Ｃは、いずれもかつらベース１０の周縁部１０ａ（図１を参照）に向かって内向きに延びている。このような構成によれば、傾斜する突部２２Ｃが、釣り針の「返し」の如き作用をし、自毛の根本部分をより確実に捕捉することが可能となる。また、かつらベース１０の周縁部１０ａ（図１を参照）に向かって内向きに延びる二つの突部２２Ｃ、２２Ｃが対向することで、自毛の根本部分が捕捉空間２０ａに入りやすく、出にくいという作用効果も奏する。
【００５７】
傾斜する突部２２Ｃ、２２Ｃは、各軸部２１の先端部に設けるほか、図８（ｃ）に示すように、各軸部２１の中間部に設けてもよい。このような構成によれば、中間部の突部２２Ｃ、２２Ｃが、捕捉空間２０ａ内で自毛の根本部分に係合し、自毛の保持力をより向上させることができる。
【００５８】
また、図９（ａ）に示すように、傾斜する突部２２ＣＬ、２２ＣＳの長さを異ならせてもよい。このような構成とした場合は、各軸部２１、２１、２１…の間隔も交互に広狭の幅となり、各捕捉空間２０ａ、２０ａ、２０ａ…の面積が大小２種類になる。
【００５９】
さらに、図９（ｂ）に示すように、各軸部の２１、２１、２１…の先端部に、傾斜する単一の突部２２Ｃを設けてもよい。突部２２Ｃは、同図（ａ）に示す長い突部２２ＣＬとすることが好ましいが、短い突部２２ＣＳを設けて、捕捉空間２０ａ、２０ａ、２０ａ…の総数を増大させてもよい。このような構成とした場合は、単一の突部２２Ｃによって、自毛の根本部分を捕捉空間２０ａへと案内し、かつ捕捉空間２０ａ内に収容された自毛の根本部分を保持することが可能となる。
【００６０】
＜＜捕捉部を構成する凸部＞＞
これに加え、捕捉部２０の本体は、真っ直ぐな直線状の軸部２１に限定されるものではなく、図９（ｃ）に示すように、線状部材を所定形状の輪郭に変形させた中空の凸部２３としてもよい。同図（ｃ）に示す凸部２３は、略三角形状の輪郭を有しており、凸部２３の先端寄りの中間部には、傾斜する一対の突部２２Ｃ、２２Ｃが内向きに略ハ字型に設けてある。そして、隣り合う凸部２３、２３、２３…の間には、それぞれ捕捉空間２０ａ、２０ａ、２０ａ…が形成される。
【００６１】
このような構成からなる捕捉部２０では、装着者の頭部にかつら１を載置し、かつらベース１０の周縁部１０ａ（図５及び図６を参照、以下同じ）近傍に位置する自毛をブラッシングなどで掻き上げる。すると、自毛の根本部分が、凸部２３先端側の略三角形状の輪郭に誘導された後、一対の突部２２Ｃ、２２Ｃの傾斜に沿って、捕捉空間２０ａの導入口へと案内される。
【００６２】
その後、掻き上げられた自毛の根本部分が、突部２２Ｃ、２２Ｃを弾性変形させて導入口を通過し、捕捉空間２０ａ内に収容される。捕捉空間２０ａ内に収容された自毛の根本部分は、突部２２Ｃ、２２Ｃの復元により捕捉空間２０ａ内に保持される。
【００６３】
本実施形態の捕捉部２０によれば、略三角形状の凸部２３と、傾斜する突部２２Ｃ、２２Ｃとの組み合わせにより、自毛の根本部分を捕捉空間２０ａ内に案内して、スムーズに捕捉することができる。また、傾斜する突部２２Ｃ、２２Ｃが「返し」の役割を果たし、各捕捉空間２０ａ、２０ａ、２０ａ…内に自毛の根本部分を確実に保持する。
【００６４】
＜＜凸部の具体例＞＞
捕捉部を構成する凸部は、種々の輪郭形状とすることができ、好ましくは、図１０及び図１１に示すような、凸部自体で自毛を捕捉できる形状にするとよい。
【００６５】
図１０（ａ）の捕捉部２０は、線状部材を略五角形状の輪郭に変形させた中空の凸部２４からなっている。略五角形状の凸部２４は、その前半部分が、自毛の根本部分の間に入り込みやすい内向きの傾斜となっており、その後半部分が、広い捕捉空間２０ａを形成する外向きの傾斜となっている。このような略五角形状の凸部２４における前半及び後半部分の傾斜が、広い捕捉空間２０ａと、これに通ずる狭小の導入口とを形成する。また、本実施形態では、捕捉部２０（凸部２４）とベース接合部３０とを、一本の線状部材を折り曲げることによって連成している。
【００６６】
このような構成からなる捕捉部２０では、装着者の頭部にかつら１を載置し、かつらベース１０の周縁部１０ａ近傍に位置する自毛をブラッシングなどで掻き上げる。すると、自毛の根本部分が、隣り合う凸部２４、２４の前半部分の内向きの傾斜に誘導され、捕捉空間２０ａの導入口へと案内される。
【００６７】
その後、掻き上げられた自毛の根本部分が、隣り合う凸部２４、２４を弾性変形させて導入口を通過し、捕捉空間２０ａ内に収容される。捕捉空間２０ａ内に収容された自毛の根本部分は、隣り合う凸部２４、２４の復元により捕捉空間２０ａ内に保持される。
【００６８】
本実施形態の捕捉部２０によれば、略五角形状の輪郭形状とした凸部２４により、自毛の根本部分を捕捉空間２０ａ内に案内して、スムーズに捕捉することができる。
【００６９】
図１０（ｂ）に示すように、略五角形状の凸部２４の中空内に、これよりも小さい凸部２４ａを設けてもよい。本実施形態では、内側の小さい凸部２４ａを、外側の大きい凸部２４の相似形としたが、凸部２４ａの輪郭形状は、特に限定されるものではない。
【００７０】
このような本実施形態の捕捉部２０によれば、内側の凸部２４ａにかつら用毛髪を植毛することにより、外側の凸部２４に囲われた領域の毛髪量を増大させることができ、かつらベース１０の境界部分の露見を、より効果的に防止することが可能となる。
【００７１】
図１０（ｃ）に示すように、隣り合う凸部２４、２４の導入口付近に、互いに対向する突部２２、２２を設けてもよい。このような構成によれば、一対の突部２２、２２が、捕捉空間２０ａ内に保持された自毛の根本部分に係合し、自毛の根本部分をより確実に捕捉することが可能となる。
【００７２】
捕捉部を構成する凸部は、図９（ｃ）、図１０（ａ）〜（ｃ）に示したような多角形状のものに限定されるものではない。例えば、図１１（ａ）〜（ｃ）に示す捕捉部２０のように、曲線を基調とした輪郭形状の凸部２５により構成してもよい。
【００７３】
図１１（ａ）において、凸部２５の輪郭形状は曲線を基調としており、隣り合う凸部２５、２５の間に、これと対称的な輪郭形状の捕捉空間２０ａを形成する。このような輪郭形状の凸部２５、２５も、互いに弾性変形して狭小の導入口から捕捉空間２０ａ内に自毛の根本部分を収容した後、形状の復元により捕捉空間２０ａ内に収容した自毛の根本部分を保持することができる。
【００７４】
図１１（ｂ）に示すように、凸部２５の中空内に、これよりも小さい相似形の凸部２５ａを設け、小さい凸部２５ａにかつら用毛髪を植毛した構成としてもよい。このような構成とした場合は、外側の凸部２５に囲われた領域の毛髪量を増大させることができ、かつらベース１０の境界部分の露見を、より効果的に防止することが可能となる。
【００７５】
また、図１１（ｃ）に示すように、大きい凸部２５と、これよりも小さい相似形の凸部２５ａとを、交互にベース接合部３０に連成した構成としてもよい。このような構成とした場合は、大きい凸部２５、２５の間に自毛の根本部分が誘導され、その後、小さい凸部２５ａの輪郭がガイドになって、その両側に位置する捕捉空間２０ａ、２０ａに自毛の根本部分を導入しやすくなる。
【符号の説明】
【００７６】
１  かつら
２  自毛捕捉構造体
１０  かつらベース
１０ａ  周縁部
２０  捕捉部
２０ａ  捕捉空間
２１  軸部
２２、２２Ａ、２２Ｂ、２２Ｃ、２２ＣＬ、２２ＣＳ  突部
２３、２４、２５  凸部
２４ａ、２５ａ  小さな凸部
３０  ベース接合部
４０  抑え部
【図１】
0005625018.tif 000002
【図２】
0005625018.tif 000003
【図３】
0005625018.tif 000004
【図４】
0005625018.tif 000005
【図５】
0005625018.tif 000006
【図６】
0005625018.tif 000007
【図７】
0005625018.tif 000008
【図８】
0005625018.tif 000009
【図９】
0005625018.tif 000010
【図１０】
0005625018.tif 000011
【図１１】
0005625018.tif 000012